(57)【要約】【課題】蓋部材のロックなどが不安定な状態での再生を禁止し、かつ操作部材を必要最小限の構成とした再生装置を提供する。【解決手段】再生装置１は、筐体２１の前面２１Ａに、スロット２３と、蓋部材２４と、ロック部材２５とを備える。スロット２３には、記録メディア８が装着される。蓋部材２４は、スロット２３を覆い隠す閉じ位置と、スロット２３を露呈させる開き位置との間で開閉自在に設けられている。ロック部材２５は、蓋部材２４を閉じ位置にロックする。再生装置１は、記録メディア８がスロット２３に装着状態にあること、蓋部材２４が閉じ位置にあること、および蓋部材２４がロック状態にあることの３つの状態を検出した場合に、再生部を作動させて、記録メディア８に記録された情報信号を読み出してコンテンツの再生を開始する。【選択図】図２
2018011017.tif 000002
【特許請求の範囲】
【請求項１】
筐体に設けられ、記録メディアが装着される装着部と、
前記装着部に対する前記記録メディアの装着状態を検出する装着状態検出部と、
前記装着部を覆う閉じ位置と、前記装着部を露呈させる開き位置との間で開閉自在に設けられた蓋部材と、
前記蓋部材の開閉状態を検出する蓋開閉状態検出部と、
前記蓋部材を前記閉じ位置にロックするロック部材と、
前記ロック部材による前記蓋部材のロック状態を検出する蓋ロック検出部と、
前記装着状態検出部により前記記録メディアが装着状態にあること、前記蓋開閉状態検出部により前記蓋部材が閉じ位置にあること、および前記蓋ロック検出部により前記蓋部材がロック状態にあることの３つの状態を検出した場合に、記録メディアに記録された情報信号を読み出してコンテンツの再生を開始する再生部とを備えた再生装置。
【請求項２】
前記ロック部材は、閉じ位置にある前記蓋部材を係止してロックするロック位置と、前記ロックを解除する解除位置との間で移動自在に設けられ、
前記ロック部材が前記解除位置にある場合、前記ロック部材を前記解除位置に付勢し、かつ、前記ロック部材が前記ロック位置にある場合、前記ロック部材を前記ロック位置に付勢する付勢部材を備えた請求項１記載の再生装置。
【請求項３】
前記装着部は、筐体の一面に設けられており、
前記蓋部材は平板状をしており、前記蓋部材の閉じ位置は、前記一面と平行な状態で前記装着部を覆う位置であり、前記開き位置は、前記蓋部材の一端を中心に回動した位置であり、
前記ロック部材は、前記閉じ位置にある前記蓋部材の一部を係止する請求項２記載の再生装置。
【請求項４】
前記蓋部材には、前記ロック部材が前記ロック位置にあるときに、前記ロック部材の一部が進入する切り欠き部を有している請求項３記載の再生装置。
【請求項５】
前記装着状態検出部、前記蓋開閉状態検出部、および前記蓋ロック検出部は、前記記録メディア、前記蓋部材、および前記ロック部材のそれぞれとの当接によりオンするマイクロスイッチである請求項１〜４のいずれか１項に記載の再生装置。
【請求項６】
前記再生部の作動状態を表す作動状態表示ランプが設けられている請求項１〜５のいずれか１項に記載の再生装置。
【請求項７】
前記装着状態検出部により検出された前記装着状態を表す装着状態表示ランプが設けられている請求項１〜６のいずれか１項に記載の再生装置。
【請求項８】
飛行中は進入が禁止される、航空機の隔室に設置される請求項１〜７のいずれか１項に記載の再生装置。
【発明の詳細な説明】
【技術分野】
【０００１】
本発明は、映像または音声を再生する再生装置に関するものである。
【背景技術】
【０００２】
従来より、光ディスク、半導体メモリなどの記録媒体から構成される記録メディアが装着され、記録媒体から読み出された情報信号に基づき音声または映像などのコンテンツを再生する再生装置が知られている（特許文献１、２）。
【０００３】
特許文献１に記載の再生装置は、記録メディアの装着状態を検出する装着状態検出部と、記録メディアの装着部に対して開閉自在に設けられた蓋部材と、蓋部材の開閉状態を検出する蓋開閉検出部とを備え、記録メディアが装着状態かつ蓋部材が閉じ状態であることを検出した場合、再生ボタンの入力操作に応じてコンテンツ再生を開始する。また、コンテンツ再生中に蓋部材が開き状態であることを検出した場合は、コンテンツの再生を停止する。
【０００４】
一方、特許文献２に記載の再生装置は、蓋部材を閉じ状態にロックするロック部材と、ロック部材による蓋部材のロック状態を検出する蓋ロック検出部とを備え、記録メディアが装着状態かつ蓋部材がロック状態の場合、キー入力部の入力操作に応じてコンテンツ再生を開始する。
【先行技術文献】
【特許文献】
【０００５】
【特許文献１】特開２００９−２１７８８１号公報
【特許文献２】特開平７−６５４９７号公報
【発明の概要】
【発明が解決しようとする課題】
【０００６】
再生装置には多種多様な製品があり、特に業務用の再生装置においては、用途や設置場所も様々である。例えば、航空機に搭載され、旅客に音楽などを配信するための再生装置は、操縦室や旅客室とは隔離された隔室に設置されて使用される。このような隔室に設置されている再生装置は、航空機の整備期間中に整備や調整を行うが、航空機の飛行中などは再生装置の本体へのアクセスが制限される。
【０００７】
このため、こうした再生装置は、いったん再生が開始された後は、再び整備期間に入るまでの間、再生が継続し、その間、本体の操作が行われることはない。操作部材の部品点数が増加すると、コストの上昇や故障率の増加につながる。そのため、本体に設けられる操作部材については必要最小限のもの以外はできるだけ排除されていることが望まれる。
【０００８】
また、飛行中の振動等により、再生装置の蓋部材が不用意に開いて再生が停止してしまうと、再生装置の本体へのアクセスができないため、飛行中においては再生を再開することができない。そのため、いったん再生が開始された後は、不用意に再生が停止しないように、再生装置は、蓋部材のロックなどが不安定な状態では再生が開始されないような機構が設けられていることが好ましい。
【０００９】
上記特許文献１記載の再生装置では、蓋部材を閉じ位置にロックするロック部材が設けられておらず、振動などにより蓋部材が開き位置に変移した場合、コンテンツの再生が停止する懸念がある。
【００１０】
一方、特許文献２記載の再生装置は、蓋部材を閉じ状態にロックするロック部材と、蓋部材のロック状態を検出する蓋ロック検出部とが設けられている。しかし、ロック部材の他に再生ボタンが設けられており、蓋部材が閉じ位置にロックされた後、さらに再生ボタンを操作しなければ再生が開始されない。再生ボタンの操作は手間が掛かるばかりでなく、必要最小限のものではないため、コストや故障率の観点からは好ましくない。
【００１１】
本発明は、蓋部材のロックなどが不安定な状態での再生を禁止し、かつ操作部材を必要最小限の構成とした再生装置を提供することを目的とする。
【課題を解決するための手段】
【００１２】
上記目的を達成するために、本発明の再生装置は、装着部と、装着状態検出部と、蓋部材と、蓋開閉状態検出部と、ロック部材と、蓋ロック検出部と、再生部とを備える。装着部は、筐体に設けられ、記録メディアが装着される。装着状態検出部は、装着部に対する記録メディアの装着状態を検出する。蓋部材は、装着部を覆う閉じ位置と、装着部を露呈させる開き位置との間で開閉自在に設けられている。蓋開閉状態検出部は、蓋部材の開閉状態を検出する。ロック部材は、蓋部材を閉じ位置にロックする。蓋ロック検出部は、ロック部材による蓋部材のロック状態を検出する。再生部は、装着状態検出部により記録メディアが装着状態にあること、蓋開閉状態検出部により蓋部材が閉じ位置にあること、および蓋ロック検出部により蓋部材がロック状態にあることの３つの状態を検出した場合に、記録メディアに記録された情報信号を読み出してコンテンツの再生を開始する。
【００１３】
ロック部材は、閉じ位置にある蓋部材を係止してロックするロック位置と、ロックを解除する解除位置との間で移動自在に設けられ、ロック部材が解除位置にある場合、ロック部材を解除位置に付勢し、かつ、ロック部材がロック位置にある場合、ロック部材をロック位置に付勢する付勢部材を備えることが好ましい。
【００１４】
装着部は、筐体の一面に設けられており、蓋部材は平板状をしており、蓋部材の閉じ位置は、一面と平行な状態で装着部を覆う位置であり、開き位置は、蓋部材の一端を中心に回動した位置であり、ロック部材は、閉じ位置にある蓋部材の一部を係止することが好ましい。蓋部材には、ロック部材がロック位置にあるときに、ロック部材の一部が進入する切り欠き部を有していることが好ましい。
【００１５】
装着状態検出部、蓋開閉状態検出部、および蓋ロック検出部は、記録メディア、蓋部材、およびロック部材のそれぞれとの当接によりオンするマイクロスイッチであることが好ましい。
【００１６】
再生部の作動状態を表す作動状態表示ランプが設けられていることが好ましい。装着状態検出部により検出された装着状態を表す装着状態表示ランプが設けられていることが好ましい。飛行中は進入が禁止される、航空機の隔室に設置されることが好ましい。
【発明の効果】
【００１７】
本発明によれば、蓋部材のロックなどが不安定な状態での再生を禁止し、かつ操作部材を必要最小限の構成とすることができる。
【図面の簡単な説明】
【００１８】
【図１】本発明の再生装置が設置される航空機のブロック図である。
【図２】蓋部材を開き位置にした再生装置の斜視図である。
【図３】蓋部材を閉じ位置にした再生装置の斜視図である。
【図４】再生装置の正面図である。
【図５】開き位置にある蓋部材及び解除位置にあるロック部材の構成を示す斜視図である。
【図６】閉じ位置にある蓋部材及びロック位置にあるロック部材の構成を示す斜視図である。
【図７】記録メディアが非装着状態、蓋部材が開き位置かつロック部材が解除位置にある状態（Ａ）、記録メディアが装着状態、蓋部材が閉じ位置かつロック部材が解除位置にある状態（Ｂ）、記録メディアが装着状態、蓋部材が閉じ位置かつロック部材がロック位置にある状態（Ｃ）を示す説明図である。
【図８】再生装置の要部構成を示すブロック図である。
【図９】再生装置の動作を示すフローチャートである。
【発明を実施するための形態】
【００１９】
図１に示すように、本発明に係る再生装置１は、例えば、航空機２に搭載されて使用される。具体的には、再生装置１は、例えば、コンテンツとして音楽を再生する音楽再生装置である。再生装置１は、航空機２のＥ／Ｅ（Electronic and Equipment）Ｂａｙと呼称される隔室３に設置され、操縦室４等に設置されたシステムコントロールユニット５に制御される。再生装置１により再生された音楽は、航空機２の旅客室６に設けられた各座席７に配信される。
【００２０】
隔室３は、操縦室４及び旅客室６の床下に位置し、操縦室４及び旅客室６とは隔離されている。航空機２の整備期間中などは、隔室３へ出入りする扉が開放されているが、航空機２の飛行中などは扉が閉じられ、隔室３への進入が禁止されるため、再生装置１の本体へのアクセスが制限される。
【００２１】
再生装置１は、半導体メモリを記録媒体とする記録メディア８から情報信号を読み出して音楽を再生する。記録メディア８には、例えば、ポップス、クラシック、ジャズといった複数のチャンネル分の音楽の情報信号（音楽データ）が記録されている。音楽データは、曲毎に、例えばＭＰ３ファイルといった符号化された形式で記録されている。記録メディア８は、例えばＳＤメモリカード（登録商標）が用いられる。
【００２２】
再生装置１は、記録メディア８から符号化された音楽データを読み出して復号化し、復号化した複数チャンネル分の音楽データをマルチプレクサ９に出力する。マルチプレクサ９は、複数チャンネルの音楽データを、例えば１本の信号線で送信するために、時分割で多重化する。マルチプレクサ９は、多重化した音楽データをモジュレーションユニット１０に送信する。
【００２３】
モジュレーションユニット１０は、システムコントロールユニット５の制御により、多重化された音楽データを変調して複数のデストリビューションユニット１１に送信する。デストリビューションユニット１１は、各座席７に設けられた操作部と、イヤホンまたはヘッドホンなどの音声出力装置が接続されている。デストリビューションユニット１１は、複数の座席、例えば９座席に１つの割合で設けられており、各座席７の音声出力装置に音楽データを配信する。各座席７には、音楽のチャンネルを選択するチャンネル選択部が設けられており、チャンネル選択部によって選択されたチャンネルの音楽が、音声出力装置から出力される。
【００２４】
図２及び図３に示すように、再生装置１は、隔室３に取り付けられる筐体２１を備える。筐体２１は、例えば、アルミ板などから構成される略直方体の箱状である。筐体２１の一面である前面２１Ａには、周囲よりも一段凹となる長方形状の凹部２２を有する。凹部２２には、記録メディア８を装着する装着部としてのスロット２３が設けられている。
【００２５】
筐体２１の前面２１Ａには、蓋部材２４と、ロック部材２５とが取り付けられている。蓋部材２４は、凹部２２と同じサイズの長方形の平板状であり、図２に示すように、スロット２３を露呈する開き位置と、図３に示すように、凹部２２に収まってスロット２３を覆う閉じ位置との間で開閉する。蓋部材２４を開くと、スロット２３が露呈されて、記録メディア８の装着が可能になる。ロック部材２５は、後述するように蓋部材２４を閉じ位置にロックする。
【００２６】
スロット２３の奥には、記録メディア８の装着状態を検出する装着状態検出部としての検出スイッチ２６（図５及び図６参照）が設けられている。検出スイッチ２６は、例えば、周知のマイクロスイッチであり、スロット２３の内部に突出する突出位置と、スロット２３の奥側に押し込まれる押し込み位置との間でスライド自在な被押圧片２６Ａを有する。被押圧片２６Ａは、図示しないバネにより突出位置に向けて付勢されている。
【００２７】
記録メディア８がスロット２３に装着されていない場合、被押圧片２６Ａは突出位置にある。記録メディア８がスロット２３に装着された場合、記録メディア８の先端部が被押圧片２６Ａに当接し、バネの付勢に抗して被押圧片２６Ａが突出位置から押込位置へと押圧される。被押圧片２６Ａが押込位置に押し込まれると、検出スイッチ２６はオンされる。
【００２８】
図４に示すように、筐体２１の前面２１Ａには、操作ボタン２７と、７セグメント表示部２８と、インジケータ２９〜３１、イヤホン接続部３２、操作ダイヤル３３、把手部３４等が設けられている。把手部３４は、Ｕ字形状に形成され、再生装置１を移動させる際などに把持される。また、筐体２１の背面には、外部配線用のコネクタ（図示せず）、電源用のケーブル（図示せず）などが配設されている。
【００２９】
操作ボタン２７は、整備や調整などのメンテナンスの際、整備員などにより操作される。７セグメント表示部２８は、再生装置１で再生される音楽データのチャンネルを表示する２桁の７セグメントＬＥＤ（発光ダイオード）と、音量などを表示する２桁の７セグメントＬＥＤとから構成される。イヤホン接続部３２は、メンテナンスなどの際、イヤホンが接続されて音声を出力する。操作ダイヤル３３は、イヤホン接続部３２に接続されたイヤホンから出力される音声のボリュームを調整するための操作部である。このように再生装置１には、必要最小限の操作部しか設けられておらず、再生ボタンも設けられていない。再生は後述するように、蓋部材２４の状態等を検出して自動的に開始される。再生ボタンを排したことにより、部品点数が低減されて、コストや故障率が低下する。
【００３０】
インジケータ２９〜３１は、再生装置１の各部の状態を表す表示ランプである。インジケータ２９は、後述する再生部の作動状態を表す作動状態表示ランプである。インジケータ３０は、検出スイッチ２６によって検出された記録メディア８の装着状態を表す装着状態表示ランプである。検出スイッチ２６によって記録メディア８の装着状態が検出された場合、インジケータ３０が点灯する。また、インジケータ３１は、システムコントロールユニット５による制御で再生装置１が一時停止状態であることを表す。
【００３１】
図５及び図６に示すように、蓋部材２４は、長手方向における一端２４Ａに一対の回動ピン２４Ｂが、他端２４Ｃに摘み部２４Ｄが一体に設けられている。一対の回動ピン２４Ｂは、凹部２２の下端部に設けられた一対の軸受け部３５（図４参照）により、軸３６回りに回転自在に支持される。一対の回動ピン２４Ｂにより、蓋部材２４は、開閉自在に取り付けられる。
【００３２】
蓋部材２４は、軸３６周りで回動することにより、スロット２３を露呈させる開き位置（図５、図７（Ａ）参照）とスロット２３を覆い隠す閉じ位置（図６、図７（Ｂ）、図７（Ｃ）参照）との間で開閉自在となっている。蓋部材２４は、閉じ位置にある場合、凹部２２に嵌め込まれ、一端２４Ａが凹部２２の下端に、他端２４Ｃが凹部２２の上端に位置しており、筐体２１の前面２１Ａと平行な状態でスロット２３を覆う。
【００３３】
摘み部２４Ｄは、蓋部材２４の他端２４Ｃから軸３６と直交する方向に屈曲する屈曲部であり、蓋部材２４が閉じ位置にある場合、筐体２１の前面２１Ａよりも前方に突出する位置に配されている。摘み部２４Ｄには、蓋部材２４の他端２４Ｃから切り欠かれた切り欠き部２４Ｅが形成されている。
【００３４】
蓋部材２４の裏面２４Ｆには、磁性体３７が設けられている。一方、凹部２２の内部には、磁性体３７と対面する位置に磁石３８が設けられている。磁性体３７は、長方形の板状に形成されている。磁石３８は、磁性体３７よりも面積が小さい円板状に形成されている。蓋部材２４が閉じ位置にある場合、磁性体３７と磁石３８は磁力により互いに吸着する。これにより、蓋部材２４は閉じ位置に保持される。
【００３５】
凹部２２の内部には、蓋部材２４の開閉状態を検出する蓋開閉状態検出部としての検出スイッチ３９が設けられている。検出スイッチ３９は、上述した検出スイッチ２６と同様のマイクロスイッチからなり、蓋部材２４が開き位置にある場合、被押圧片３９Ａは突出位置にあり、蓋部材２４が開じ位置にある場合、蓋部材２４の裏面２４Ｆが被押圧片３９Ａに当接し、バネの付勢に抗して被押圧片３９Ａを突出位置から押込位置へと押圧する。被押圧片３９Ａが押込位置に押し込まれると、検出スイッチ３９はオンする。
【００３６】
ロック部材２５は、操作ノブ４１と、押圧片４２と、取付軸４３とが一体に設けられている。操作ノブ４１および取付軸４３は、蓋部材２４の上方に配置されている。取付軸４３は、筐体２１に形成された取付孔（図示せず）に支持され、軸４４回りに回転する。取付軸４３が筐体２１の取付孔に支持されることにより、ロック部材２５は、軸４４を中心に回動自在となっている。取付軸４３は、筐体２１の前面２１Ａと直交して配されており、操作ノブ４１が回転すると、ロック部材２５は、前面２１Ａと平行な面内で回転する。
【００３７】
ロック部材２５は、操作ノブ４１と、取付軸４３との間に配されている。ロック部材２５は、筐体２１の前面２１Ａに近接する位置、かつ凹部２２の上端付近に配されている。ロック部材２５は、軸４４の周りで回動することにより、蓋部材２４を閉じ位置でロックするロック位置（図７（Ｃ）参照）と、蓋部材２４のロックを解除する解除位置（図７（Ａ）、図７（Ｂ）参照）との間で移動自在となっている。
【００３８】
ロック位置では、ロック部材２５は蓋部材２４の前方に進入し、蓋部材２４の開閉軌道を塞ぐ。これにより、ロック部材２５は、先端部が切り欠き部２４Ｅに進入し、蓋部材２４の他端２４Ｃを係止する。ロック部材２５に係止された蓋部材２４は、閉じ位置にロックされる。一方、解除位置では、ロック部材２５は蓋部材２４の前方から退避して、凹部２２に収まる蓋部材２４の上端よりも上方に位置する。これにより、蓋部材２４の開閉軌道が解放されて、蓋部材２４のロックが解除される。
【００３９】
操作ノブ４１は、取付軸４３と同軸上に配された略円柱状に形成されている。操作ノブ４１は、円柱の軸方向に沿って周面の一部が切り落とされて形成された２つの互いに平行な平面４１Ａと、前面に形成された指標４１Ｂとを有する。
【００４０】
操作ノブ４１の周囲には、ロック部材２５のロック位置を表す「ＬＯＣＫ」の文字列４５Ａ（図４参照）と、解除位置を示す「ＲＥＬＥＡＳＥ」の文字列４５Ｂ（図４参照）とが付されている。文字列４５Ａの位置に操作ノブ４１の指標４１Ｂの位置を合わせるとロック部材２５がロック位置に移動して閉じ位置にある蓋部材２４をロックする。一方、文字列４５Ｂの位置に操作ノブ４１の指標４１Ｂの位置を合わせるとロック部材２５が解除位置に移動して蓋部材２４のロックを解除する。
【００４１】
押圧片４２は、取付軸４３の後端、かつ筐体２１の内部に配され、軸４４と直交する方向に突出する。押圧片４２の先端には、軸４４と平行に配される押圧部４２Ａを有する。筐体２１の内部には、ロック部材２５による蓋部材２４のロック状態を検出する蓋ロック検出部としての検出スイッチ４６が設けられている。
【００４２】
検出スイッチ４６は、固定接片４６Ｂと、揺動接片４６Ａとを有するマイクロスイッチである。揺動接片４６Ａは、弾性を有し、ロック部材２５がロック位置にある場合（図６参照）、押圧部４２Ａと当接する位置に配されている。ロック部材２５が解除位置にある場合（図５参照）、検出スイッチ４６はオフ状態、すなわち、揺動接片４６Ａと、固定接片４６Ｂとが所定の間隔を置いて離間している。ロック部材２５がロック位置に移動した場合、ロック部材２５、操作ノブ４１、及び取付軸４３と一体となって回動した押圧片４２の押圧部４２Ａが揺動接片４６Ａと当接し、揺動接片４６Ａの弾性力に抗して揺動接片４６Ａを固定接片４６Ｂに押し付ける。揺動接片４６Ａが固定接片４６Ｂに押し付けられると、検出スイッチ４６はオン状態となる。
【００４３】
押圧片４２には、付勢部材４７が取り付けられている。付勢部材４７は、例えばコイルバネが用いられ、一端４７Ａが押圧片４２と一体に設けられた取付ピン４２Ｂに、他端４７Ｂが筐体２１内に立設された取付ピン４８に掛けられている。
【００４４】
図７に示すように、取付ピン４８は、取付軸４３を中心にして取付ピン４２Ｂとは反対側に位置する。取付ピン４８は、取付ピン４２Ｂよりも下方に配されている。ロック部材２５がロック位置にある場合、付勢部材４７は、ロック部材２５を時計方向に付勢する。すなわち、付勢部材４７は、ロック部材２５をロック位置に付勢する。操作ノブ４１が反時計方向に回転し、ロック部材２５がロック位置から解除位置に移動する際に、付勢部材４７は、ロック位置にある状態から一端伸び始める。付勢部材４７は、ロック部材２５がロック位置から解除位置へ向かう途中の中間点において伸びが最大になり、中間点を過ぎると、再び縮み初めて、解除位置に達する。
【００４５】
そのため、ロック部材２５を、ロック位置と解除位置の一方から他方に移動させる場合には、中間点までは付勢部材４７が延びるため、もとの位置に戻ろうとする付勢力が働く。これにより、付勢部材４７は、ロック部材２５が解除位置にある場合には、ロック部材２５を解除位置に付勢し、かつ、ロック部材２５がロック位置にある場合、ロック部材２５をロック位置に付勢する。こうした付勢部材４７の付勢により、振動等によって、ロック部材２５がロック位置から不用意に動くことがない。
【００４６】
図８に示すように、再生装置１は、検出スイッチ２６，３９、４６の他に、マイクロコンピュータ５０、アンドゲート５１、カードＩ／Ｆ（Interface）５２、分配回路５３、バッファ５４、複数のデコーダ５５などを備える。
【００４７】
検出スイッチ３９，４６は直列に接続され、出力側がアンドゲート５１の一方の入力端子５１Ａに接続されている。検出スイッチ３９，４６がともにオン状態、すなわち、蓋部材２４が閉じ位置にあることを検出し、かつ蓋部材２４がロック状態にあることを検出した場合、アンドゲート５１の一方の入力端子５１Ａにオン信号が入力される。
【００４８】
アンドゲート５１の他方の入力端子５１Ｂには、検出スイッチ２６が接続されている。検出スイッチ２６は、記録メディア８の装着状態を検出した場合、入力端子５１Ｂにオン信号が入力される。
【００４９】
アンドゲート５１の出力端子５１Ｃは、マイクロコンピュータ５０に接続されている。アンドゲート５１は、入力端子５１Ａ，５１Ｂにオン信号が加えられたときにだけ、出力端子５１Ｃからマイクロコンピュータ５０へオン信号を出力する。入力端子５１Ａ，５１Ｂの少なくとも一方がオフ信号の場合、アンドゲート５１は出力端子５１Ｃからマイクロコンピュータ５０へオフ信号を出力する。すなわち、アンドゲート５１は、記録メディア８が装着状態にあること、蓋部材２４が閉じ位置にあること、および蓋部材２４がロック状態にあることの３つの状態を検出した場合にのみ、マイクロコンピュータ５０へオン信号を出力する。
【００５０】
カードＩ／Ｆ５２、分配回路５３は、本発明の再生部を構成する。マイクロコンピュータ５０は、アンドゲート５１からオン信号が入力された場合、カードＩ／Ｆ５２、分配回路５３を作動させ、記録メディア８に記録された情報信号を読み出してコンテンツの再生を開始させる。すなわち、マイクロコンピュータ５０は、カードＩ／Ｆ５２を作動させて記録メディア８に記録された情報信号の読み取りを開始させ、分配回路５３を作動させてチャンネル毎に音楽データを振り分けてデコーダ５５へ出力させる。
【００５１】
デコーダ５５は、音楽データのチャンネル毎に設けられており、各チャンネルの音楽データを復号した後、マルチプレクサ９に送信する。上述したようにシステムコントロールユニット５の制御により、マルチプレクサ９により多重化された音楽データは、モジュレーションユニット１０、デストリビューションユニット１１を経て各座席７に配信される。
【００５２】
また、航空機２においては、機内アナウンスを流す際など、システムコントロールユニット５から再生装置１に一時停止の制御信号が送られる。この一時停止の制御信号を受けている間、マイクロコンピュータ５０は、再生部の作動を継続させるが、分配回路５３によりチャンネル毎に振り分けられた音楽データをデコーダ５５ではなくバッファ５４に送信する。これにより、各座席７への音楽データの配信が一時的に停止される。また、この際、作動状態を表すインジケータ２９を点灯させて音楽データの配信が一時的に停止していることを通知する。
【００５３】
スロット２３に記録メディア８を装着し、記録メディア８に記録された情報信号を読み出してコンテンツを再生する処理手順について、図９に示すフローチャートに沿って説明する。
【００５４】
記録メディア８が装着されると、検出スイッチ２６がオンして記録メディア８が装着状態にあることが検出される（Ｓ１１でＹ）。検出スイッチ２６がオンされると、インジケータ３０が点灯する。そして、蓋部材２４が閉じられると、検出スイッチ３９がオンして蓋部材２４が閉じ位置にあることが検出される（Ｓ１２でＹ）。インジケータ３０により、蓋部材２４が閉じ位置にある状態でも、記録メディア８が装着されているか否かを確認することができる。このため、記録メディア８の装着忘れを防止することができる。
【００５５】
操作ノブ４１が回動されて、ロック部材２５がロック位置に移動すると、検出スイッチ４６がオンして蓋部材２４がロック状態にあることが検出される（Ｓ１３でＹ）。これにより、アンドゲート５１の２つの入力がオンになったため、アンドゲート５１がオン信号を出力する（Ｓ１４）。アンドゲート５１からオン信号が出力されると、マイクロコンピュータ５０は、再生部（カードＩ／Ｆ５２および分配回路５３）を作動させて、コンテンツとしての音楽の再生を開始する（Ｓ１５）。再生された音楽は、各座席７に配信される。
【００５６】
なお、検出スイッチ２６，３９，４６の少なくとも１つがオフ信号を出力した場合（Ｓ１１〜Ｓ１３の少なくとも１つでＮ）、マイクロコンピュータ５０は、再生部を停止させて音楽の再生を停止させる。
【００５７】
このように、マイクロコンピュータ５０は、記録メディア８が装着されていること、蓋部材２４が閉じ位置にあること、蓋部材２４がロックされていることの３つの状態を検出した場合に、コンテンツの再生を開始する。係る３つの状態が検出された状態は、再生が開始された後、不用意に再生が停止されることがない再生に適した安定した状態と言える。
【００５８】
このように、蓋部材のロックなどが安定した状態でのみ再生が許容され、不安定な状態での再生が禁止されるため、いったん再生が開始された後は、振動等によりロックが外れるなどの理由により、再生が停止されるおそれが少ない。
【００５９】
記録メディア８、蓋部材２４、ロック部材２５はそれぞれ移動する部材であり、検出スイッチ２６，３９，４６は、移動する記録メディア８、蓋部材２４、ロック部材２５のそれぞれとの当接によりオンするマイクロスイッチであるため、構成も簡単で、かつ確実な検出が可能である。
【００６０】
また、ロック部材２５は、ロック位置にあるときに切り欠き部２４Ｅに進入しているので、切り欠き部２４Ｅによって蓋部材２４とロック部材２５の係止が確実になり、蓋部材２４が不用意に開きにくい。
【００６１】
航空機２では、飛行中など再生装置１の本体へのアクセスが制限されている間、再生装置１の操作を行うことができない。そのため、再生装置１のように安定した状態でのみ再生を許容することで、飛行中における再生が停止するなどのトラブルを防ぐことができる。
【００６２】
また、安定した状態となった場合に自動的に再生が開始されるため、再生ボタンなどの操作部材が不要である。これにより、操作部材を必要最小限の構成とすることができ、コストや故障率の上昇が抑えられる。また、ロック部材２５による蓋部材２４のロック動作が、再生を開始する入力操作を兼ねているため、再生を開始する際、整備員の操作の手間を軽減することもできる。
【００６３】
また、整備員が、新しい音楽データが記録された記録メディア８に交換する場合、ロック部材２５が解除位置、すなわち蓋部材２４のロックが解除状態になったことを検出スイッチ４６が検出すると、マイクロコンピュータ５０は、再生部を停止させて音楽の再生を停止させる。この際、７セグメント表示部２８に“ＯＰＥＮ”と表示される。
【００６４】
７セグメント表示部２８の“ＯＰＥＮ”の表示により再生部の作動が停止したことを認識すると、整備員は蓋部材２４を開き位置に移動させ、スロット２３から記録メディア８を取り出すことができる。この際、インジケータ３０が消灯する。空き状態となったスロット２３に新しい音楽データが記録された記録メディア８を装着されるとインジケータ３０が点灯する。これにより、記録メディア８が装着状態にあることを認識すると、整備員は、蓋部材２４を閉じ位置に移動させ、かつロック部材２５をロック位置に移動させてコンテンツの再生を開始させることができる。
【００６５】
上記実施形態では、記録メディアとしてＳＤメモリカードを例に上げたが、これに限らず半導体メモリを用いた他の記録メディアでもよい。あるいは、記録媒体として半導体メモリを用いたものに限らず、光ディスクから構成される記録メディアでもよい。また、上記実施形態では、記録メディアから読み取り、再生装置で再生するコンテンツとして音楽を例に上げたが、コンテンツとしては映像でもよい。
【００６６】
上記実施形態では、検出スイッチ２６，３９，４６として、記録メディア８、蓋部材２４、ロック部材２５のそれぞれとの当接によりオンするマイクロスイッチを例に上げたが、記録メディア８が装着されていること、蓋部材２４が閉じ位置にあること、蓋部材２４がロックされていることをそれぞれ検出可能な検出部であればよく、例えば、フォトセンサでもよい。
【００６７】
上記実施形態では、再生部を一時停止させた場合、作動状態表示ランプとしてのインジケータ２９を点灯させているが、作動状態表示ランプの表示方法としてはこれに限らず、再生部が作動状態となった場合、作動状態表示ランプを点灯させるようにしてもよい。
【００６８】
また、上記実施形態では、航空機の隔室に設置される再生装置を例に上げたが、これに限らず、例えば、ユーザから隔離された場所に設置される業務用の再生装置に適用することができる。その他、本発明の趣旨を逸脱しない範囲で、種々の変更を加えてもよいことはもちろんである。
【符号の説明】
【００６９】
１  再生装置
２  航空機
３  隔室
４  操縦室
５  システムコントロールユニット
６  旅客室
７  座席
８  記録メディア
２１  筐体
２３  スロット
２４  蓋部材
２４Ｅ  切り欠き部
２５  ロック部材
２６，３９，４６  検出スイッチ
２９〜３１  インジケータ
【図１】
2018011017.tif 000003
【図２】
2018011017.tif 000004
【図３】
2018011017.tif 000005
【図４】
2018011017.tif 000006
【図５】
2018011017.tif 000007
【図６】
2018011017.tif 000008
【図７】
2018011017.tif 000009
【図８】
2018011017.tif 000010
【図９】
2018011017.tif 000011